(57)【特許請求の範囲】
【請求項１】
遊技板本体の前面側に、ほゞ円形の遊技部を形成すると共に、この遊技部の外側に非遊技部を形成し、遊技板本体の前面側及び背面側に配設する遊技部材の取付構造であって、
遊技板本体の少なくとも一方の対角線上にルータ加工装置に装着するときに利用する基準孔である取付孔を開設し、遊技板本体の前面側から上記取付孔に、表遊技部材としてほゞ中央部分に円形の空部を有し、該空部の外側に非遊技部を形成した遊技板本体の外形とほゞ同形に合成樹脂で一体に成型された飾り部材を取り付けると共に、少なくとも一方の対角線上で非遊技部の隅部付近に位置規制手段を有するセット板、及び少なくとも上記一方の対角線上で非遊技部の隅部付近に位置規制手段を有する取付基台を、裏遊技部材として遊技板本体の背面側から上記取付孔を通して取り付け、上記セット板と取付基台とを、当該両部材に設けた複数の嵌合手段によって連結するようにしたことを特徴とする遊技部材の取付構造。
【請求項２】
前記嵌合手段を、嵌着柱及び嵌着片並びにこれら嵌着柱及び嵌着片に対応する嵌着孔及び嵌着溝によって構成した請求項１に記載の遊技部材の取付構造。
【発明の詳細な説明】
【０００１】
【発明の属する技術分野】
この発明は、パチンコ機などの遊技盤における遊技部材の取付構造に関し、特に遊技板本体の前面側及び背面側に種々の遊技部材を取り付けることのできる遊技部材の取付構造に関するものである。
【０００２】
【従来の技術】
周知のように、パチンコ機など、遊技機の遊技盤には、入賞装置や表示装置、或は風車等、様々な表側遊技部材が取り付けてあり、これらの表側遊技部材は各々遊技板本体に開設した取付孔に取り付けてある。一方、遊技盤の背面側には、入賞球を入賞球処理装置へ誘導するための誘導樋を形成するセット板や、制御装置等の裏側遊技部材を取り付けている。
【０００３】
【発明が解決しようとする課題】
そして、上記表側遊技部材は機種によって千差万別であり、機種毎に必要な取付孔を遊技板本体に開設して取り付けなければならない。
一方、遊技板本体の背面側には、上記様々な表側遊技部材に対応して入賞球を誘導するための誘導樋等を設けなければならない。このため、上記誘導樋を形成するためのセット板も機種毎に夫々異なっている。即ち、入賞球誘導樋の配置形状が異なるばかりではなく、取付孔や位置決めのためのボス等の配置も異なっている。また、近年は、表側遊技部材である入賞装置や表示装置等が大型化している。このため、セット板や制御装置等の取付位置が適切でないと、遊技盤を遊技機本体に組み付ける際に障害が発生する。
本発明は上記に鑑み提案されたもので、遊技部材を遊技板本体に対して正確且つ容易に取付可能な遊技部材の取付構造を提供することを目的とする。
【０００４】
【課題を解決するための手段】
上記目的を達成するため、請求項１に記載した発明は、遊技板本体の前面側に、ほゞ円形の遊技部を形成すると共に、この遊技部の外側に非遊技部を形成し、遊技板本体の前面側及び背面側に配設する遊技部材の取付構造であって、遊技板本体の少なくとも一方の対角線上にルータ加工装置に装着するときに利用する基準孔である取付孔を開設し、遊技板本体の前面側から上記取付孔に、表遊技部材としてほゞ中央部分に円形の空部を有し、該空部の外側に非遊技部を形成した遊技板本体の外形とほゞ同形に合成樹脂で一体に成型された飾り部材を取り付けると共に、少なくとも一方の対角線上で非遊技部の隅部付近に位置規制手段を有するセット板、及び少なくとも上記一方の対角線上で非遊技部の隅部付近に位置規制手段を有する取付基台を、裏遊技部材として遊技板本体の背面側から上記取付孔を通して取り付け、上記セット板と取付基台とを、当該両部材に設けた複数の嵌合手段によって連結するようにしたものである。
また、請求項２に記載した発明は、前記嵌合手段を、嵌着柱及び嵌着片並びにこれら嵌着柱及び嵌着片に対応する嵌着孔及び嵌着溝によって構成したものである。
【０００５】
【発明の実施の形態】
以下、本発明を図面に示した一実施の形態について説明する。図１は遊技盤の正面図、図２は背面図、図３は分解斜視図である。
【０００６】
遊技盤１は、一般に、ほゞ円形に区画される遊技部２と、該遊技部２の外側に位置する非遊技部３とを備え、遊技盤１の前面側及び背面側に種々の遊技部材４を配設する。尚、遊技部材４は、例えば図１に示すように遊技部２のほゞ中央に配設する可変図柄表示装置ユニット４１、該可変図柄表示装置ユニット４１の下方に配設する第１始動口ユニット４２、この第１始動口ユニット４２の下方に配設する変動入賞口ユニット４３、また遊技部２の側方部位に配置するサイドランプユニット４４、このサイドランプユニット４４の下方で上記変動入賞口ユニット４３との間に配置する第２始動口ユニット４５、更に上記可変図柄表示装置ユニット４１の左右斜め上方に配置するランプ風車４６及び下辺付近の左右に配置する一般風車４７等、遊技に供する部材を総称するものであり、遊技盤１の表面側に配設される表部材である。尚、上記サイドランプユニット４４は、サイド入賞口４４ａが設けてあり、入賞装置としての機能を併せ持っている。
【０００７】
また、遊技部２の最下位置にはアウト口２１を設けて、入賞口へ入賞しなかった球を回収する。尚、遊技部２には図示していないが、適宜位置に障害釘が設けてある。
【０００８】
一方、上記遊技部２の外側、即ち非遊技部３は、表部材の一種である後述する飾り部材５によって構成され、この飾り部材５には、左右の上辺角部に賞球排出ランプユニット５１及び入賞球表示ランプユニット５２が配設してある。尚、上記両ランプユニット５１，５２も表部材の一種となる。
【０００９】
上記のような遊技盤１は、図３に示すように、遊技板本体６と、飾り部材５と、セット板７とを主な構成部材としている。遊技板本体６は、例えばベニヤ合板を所定の形状に切断すると共に、所望の位置に各遊技部材４…を取り付けたり、入賞球を通すための開口部６１及び取付孔６２、或は透孔等を形成したものである。即ち、センター役物としての可変図柄表示装置ユニット４１を取り付ける開口部６１１、ランプ風車４６を取り付ける開口部６１２、賞球排出ランプユニット５１及び入賞球表示ランプユニット５２を取り付ける開口部６１３、サイド入賞口４４ａに入賞した球が通る開口部６１４、第１入賞口ユニット４２を取り付ける開口部６１５、第２入賞口ユニット４５を取り付ける開口部６１６、変動入賞口ユニット４３を取り付ける開口部６１７、或はアウト口２１となる開口部６１８等を開設する。
【００１０】
また、遊技板本体６には、遊技部２となる部分の側方位置に、サイドランプユニット４４を設けるための弓形の開口部６１ａを開設する。そして、この弓形の開口部６１ａに、ランプ等の発光源を取り付けたランプ基板６３を臨ませる。尚、弓形の開口部６１ａの前面側、即ち遊技部２の対応する位置にはサイドランプカバーを設ける。
【００１１】
遊技板本体６の前面側に表部材の一種として設ける飾り部材５は、例えば合成樹脂を成型して構成する。図面に示す実施の形態では、遊技板本体６にほゞ重畳する形状に成形され、中央部分にほゞ円形の遊技部２を形成するための空部５３が設けてある。また、この飾り部材５には、賞球排出ランプユニット５１及び入賞球表示ランプユニット５２を設けるための開口部５４，５４を設ける。
【００１２】
飾り部材５の背面側には、必要に応じて遊技板本体６に対する位置決め手段を設ける。この位置決め手段は、図示の実施の形態によれば、飾り部材５の基板５５の背面側に突設したボス８１であり、遊技部２を形成するために設けたほゞ円形の空部５３を避けた隅部付近、即ち非遊技部３に突設している。
【００１３】
また、上記非遊技部３には、裏部材のために位置規制手段を設ける。この位置規制手段は、図示の実施の形態によれば、上記位置決め手段として設けたボス８１の中央に開設した嵌合孔８２により形成してある。この位置決め手段及び位置規制手段として機能するボス８１の具体的な一例を図４に示す。
【００１４】
図面に示した実施の形態における飾り部材５は、遊技板本体６の外形とほゞ同形を成す四角形状に一体に形成しているが、左右或は上下に分割可能に形成してもよいし、前後に分割可能に構成してもよい。
【００１５】
上記ボス８１に対応して遊技板本体６には、取付孔６２を設ける。この取付孔６２は、遊技板本体６を貫通する貫通孔であって、前面側に設ける表部材と背面側に設ける裏部材とで共有する。尚、この取付孔６２は、前記した遊技部材４を取り付けるための開口部６１等を開設するルータ加工装置に当該遊技板本体６を装着するときに利用した基準孔を流用することができる。
【００１６】
一方、遊技板本体６の背面側に裏機構を構成するために止着するセット板７は、裏部材の一つであって、合成樹脂により成形されたものである。このセット板７は、各入賞口、即ちセンター役物に設けた天入賞口４１ａ、サイドランプユニット４４のサイド入賞口４４ａ、第１始動口ユニット４２へ入賞した各入賞球Ｐを所望の位置に夫々誘導するための誘導樋を各々備えている。即ち、天入賞口４１ａには誘導樋７１１が臨み、サイド入賞口４４ａには誘導樋７１２，７１３が臨み、第１始動口ユニット４２には誘導樋７１４が臨む。尚、図中の矢印は入賞球Ｐの流下方向を示す。
【００１７】
また、セット板７のほゞ中央部分には、表部材の一種であるセンター役物を受け入れるための通過口７２が開設してある。尚、上記センター役物は、例えば図示の実施の形態のように液晶表示装置からなる可変図柄表示装置ユニット４１であったり、可動球受部材を備える変動入賞装置等を適宜に採用できる。
【００１８】
上記セット板７には、前記した飾り部材５に設けたボス８１の嵌合孔８２に対応して位置規制ピン７３を設ける。即ち、この位置規制ピン７３を、前記飾り部材５のボス８１に開設した嵌合孔８２に嵌合可能として位置規制手段を構成する。
【００１９】
また、セット板７には、上記通過口７２の外にも、種々の遊技部材４を取り付けたり、受け入れたりするための開口部や逃げ部が形成されると共に、前記した遊技部材４としての可変図柄表示装置ユニット４１、第１始動口ユニット４２、変動入賞口ユニット４３等の電気配線を中継するための配線基板７７や遊技機の外部に遊技盤の情報を出力するための情報端子基板７４を設ける。尚、上記配線基板上に配設したコネクタ端子や配線ケーブル類は図示を省略している。
【００２０】
セット板７には、種々の電気部品を接続している配線ケーブル（図示せず）が散らばらないようにまとめて押えつける配線押え７８が設けてある。また、図２に示すセット板７には、ランプ風車４６のランプ基板４６１が設けてある。
【００２１】
更に、遊技板本体６の裏面側には、上記したセット板７と共に、遊技の制御を行うための遊技制御回路ボックスを取り付けるための取付基台９１を設ける。
【００２２】
この取付基台９１にも、前記したセット板７の位置規制手段と同様に、位置規制ピン９２を外側縁付近の上下２箇所に設ける。
【００２３】
また、取付基台９１の一隅には、セット板７と連結するための嵌着孔９３Ａ及び嵌着溝９３Ｂを設け、対応するセット板７に嵌着柱７５Ａを立設すると共に嵌着片７５Ｂを形成している。従って、取付基台９１及びセット板７は、結局合計５箇所の位置規制手段によって位置が規制されることになる。尚、この位置規制手段は２箇所以上設ければ位置を規制することができるので、数や配置は適宜に設定可能である。
【００２４】
例えば、位置規制手段は、対角線上に２箇所に配置すれば、遊技板本体６に対して正確な取付を行うことができる。また、遊技板本体６に取り付ける手順としては、飾り部材５を図示していないビス等により止着した後に、遊技板本体６の取付孔６２を介して、飾り部材５のボス８１の嵌合孔８２とセット板７の位置規制ピン７３を嵌合させて位置決めを行い、次に同じように取付孔６２を介して飾り部材５の嵌合孔８２と取付基台９１の位置規制ピン９２とを嵌合させて位置決めを行った後に、前記嵌着孔９３Ａと嵌着柱７５Ａ、及び嵌着溝９３Ｂと嵌着片７５Ｂとを夫々嵌合する。そして、図示していないホッチキスによるコ字形のステップル金具等で止着するか、或は図示していない取付孔にビス等で止着する。尚、セット板７と取付基台９１との嵌合位置は１箇所でも良い。
【００２５】
次に、図４に基づいて前記した位置決め手段及び位置規制手段について説明する。位置決め手段及び位置規制手段として機能する図４に示したボス８１は、高さを比較的低く形成され、中央部分に位置規制手段となる二段に形成した段付孔８３が開設してある。この段付孔８３孔は、入口側が広く内部に行くに従い狭くなるテーパー孔であって、更に中央に前記嵌合孔８２が設けてある。尚、ボス８１の外周は面取してある。従って、このボス８１は取付孔６２に嵌着し易い構造となっている。
【００２６】
上記のような構造を有する３箇所のボス８１を、遊技板本体６の取付孔６２に嵌入させると、遊技板本体６の前面側における飾り部材５の位置を正確に決めることができる。
【００２７】
一方、セット板７及び取付基台９１には、上記した飾り部材５のボス８１の嵌合孔８２と一対となる円錐形の止め具７６または９４を形成する。この止め具７６または９４は、図４に示すように、先端に位置規制ピン７３として凸起を有する円錐形の隆起部からなり、その最大径となる基端部分の外径は遊技板本体６の取付孔６２の内径よりも若干小さい。従って、この止め具７６または９４は取付孔６２の中へ嵌入可能であり、止め具７６または９４を取付孔６２に嵌入させることにより位置を規制できる。
【００２８】
上記のような位置規制手段、即ち止め具７６または９４を設けたセット板７及び取付基台９１によれば、遊技部２における遊技部材４の配置が変わっても、即ち機種が異なっても、セット板７及び取付基台９１の配置は変らない。従って、違う機種であっても、同じ基準点によって位置決めを行なうことができる。また、部材の配置が比較的粗くなっている遊技部２の外側において、部材の位置決め及び取付作業を行なうので、他の部材や配線が邪魔にならない。また、機種が異なっても作業が統一されるので、効率的な作業が可能になる。更に、取付孔６２を共用できるので、遊技板本体６の孔開け加工が容易になる。
【００２９】
図５は、位置決め手段及び位置規制手段の他の実施形態を示す概略断面図である。即ち、この実施の形態においては、表部材である飾り部材５の基板５５に、円筒状の突起５６を突設する。この突起５５は、遊技板本体６に開設した取付孔６２に嵌合可能な外径を有すると共に、遊技板本体６の厚さの半分程度の高さを有している。尚、この突起５６の先端は面取してテーパー部５６ａが形成してある。
【００３０】
一方、裏部材である例えば取付基台９１には、上記取付孔６２に嵌合可能な外径を有すると共に、遊技板本体６の半分程度の高さを有する円筒形の突起９５を設けてなる。尚、上記した突起９５の先端は面取してテーパー部９５ａが形成してある。
【００３１】
このような構成の位置決め手段及び位置規制手段を２箇所以上に配設することにより、遊技板本体６に設けた取付孔６２を共通として表部材と裏部材とを所定の位置に配置することができる。
【００３２】
以上本発明を図面の実施形態について説明したが、本発明は上記した実施形態に限定されるものではなく、特許請求の範囲に記載した構成を変更しない限り適宜に実施できる。例えば、裏部材としてセット板及び取付基台の場合を説明したが、他の遊技部材を取り付ける場合であってもよい。例えば、表部材にランプ風車を取り付ける場合でもよく、この場合には、取付孔をランプ風車の筒部が嵌合するものとする。また、このランプ風車のように、遊技部内に取り付ける場合にも適用可能である。そして、取付孔を異形孔として、この孔に遊技部材の一部を嵌合するようにすれば、複数の取付孔を設けることなく遊技部材の取付位置の特定が可能である。
【００３３】
【発明の効果】
以上要するに本発明は、遊技板本体の前面側に、ほゞ円形の遊技部を形成すると共に、この遊技部の外側に非遊技部を形成し、遊技板本体の前面側及び背面側に配設する遊技部材の取付構造であって、遊技板本体の少なくとも一方の対角線上にルータ加工装置に装着するときに利用する基準孔である取付孔を開設し、遊技板本体の前面側から上記取付孔に、表遊技部材としてほゞ中央部分に円形の空部を有し、該空部の外側に非遊技部を形成した遊技板本体の外形とほゞ同形に合成樹脂で一体に成型された飾り部材を取り付けると共に、少なくとも一方の対角線上で非遊技部の隅部付近に位置規制手段を有するセット板、及び少なくとも上記一方の対角線上で非遊技部の隅部付近に位置規制手段を有する取付基台を、裏遊技部材として遊技板本体の背面側から上記取付孔を通して取り付け、上記セット板と取付基台とを、当該両部材に設けた複数の嵌合手段によって連結するようにしたので、遊技板本体に対して正確且つ容易に遊技部材を取り付けることができ、異なる機種であっても組立時に統一された同じ作業で組立が可能であるため、作業能率が著しく向上する。
【図面の簡単な説明】
【図１】本発明に係る遊技盤の一例の正面図である。
【図２】本発明に係る遊技盤の一例の背面図である。
【図３】遊技盤の分解斜視図である。
【図４】ボスの実施形態を示す説明図である。
【図５】位置決め手段及び位置規制手段の他の実施形態を示す概略断面図である。
【符号の説明】
１  遊技盤
２  遊技部
３  非遊技部
４  遊技部材
５  飾り部材
６  遊技板本体
７  セット板
５６  突起
６２  取付孔
７３  位置規制ピン
７６  止め具
８１  ボス
８２  嵌合孔
９１  取付基台
９２  位置規制ピン
９４  止め具
９５  突起
【図１】
0003675547.tif 000002
【図２】
0003675547.tif 000003
【図３】
0003675547.tif 000004
【図４】
0003675547.tif 000005
【図５】
0003675547.tif 000006